(57)【要約】【課題】保持器セグメントところの端面との接触に起因する回転トルクを低減することができる分割保持器およびころ軸受を提供する。【解決手段】分割保持器５は、一対のリム部２１，２２および一対の柱部２３，２４によりころ４を収容するためのポケット２５を区画形成する保持器セグメント６を複数備えている。複数の保持器セグメント６は、内輪２と外輪３との間の環状空間において周方向に沿って環状に配列される。保持器セグメント６は、一対のリム部２１，２２のポケット側の側面２１ａ，２２ａに、軸方向内方に突出して設けられた突出体７，８を備えている。突出体７，８は、ころ４の端面４ａ，４ｂと接触する接触部７１ｂ〜７３ｂ，８１ｂ〜８３ｂと、当該端面４ａ，４ｂと接触しない非接触部７１ａ〜７３ａ，８１ａ〜８３ａと、を有する。【選択図】図４
2016142382.tif 000002
【特許請求の範囲】
【請求項１】
軸方向に所定間隔を隔てて互いに対向する一対のリム部と、前記一対のリム部の間に架設され当該一対のリム部とともにころを収容するためのポケットを区画形成する複数の柱部と、を有する保持器セグメントを複数備え、前記複数の保持器セグメントは、内輪と外輪との間の環状空間において周方向に沿って環状に配列されるころ軸受用の分割保持器であって、
前記保持器セグメントは、前記一対のリム部のうち少なくとも一方のリム部における前記ポケット側の側面に、軸方向内方に突出して設けられた突出体を備え、
前記突出体は、前記ころの端面と接触する接触部と、当該端面と接触しない非接触部と、を有することを特徴とする分割保持器。
【請求項２】
前記ころの端面には、その径方向中間部に凹部が形成されており、
前記突出体は、前記ポケット側の側面の周方向一方側において径方向に延びる第１突出部と、前記ポケット側の側面の周方向他方側において径方向に延びる第２突出部と、を有し、
前記第１突出部は、前記ころの凹部に非接触で対向する前記非接触部としての第１非接触部と、前記第１非接触部の少なくとも径方向一方側に配置された前記接触部としての第１接触部と、を有し、
前記第２突出部は、前記ころの凹部に非接触で対向する前記非接触部としての第２非接触部と、前記第２非接触部の少なくとも径方向一方側に配置された前記接触部としての第２接触部と、を有する請求項１に記載の分割保持器。
【請求項３】
前記突出体は、前記第１突出部の径方向内端部と前記第２突出部の径方向内端部との間で周方向に延びてこれらの径方向内端部同士を連結している第３突出部をさらに有する請求項２に記載の分割保持器。
【請求項４】
前記第３突出部は、その周方向の少なくとも一部に、前記ころの凹部に非接触で対向する前記非接触部としての第３非接触部を有する請求項３に記載の分割保持器。
【請求項５】
前記突出体は、前記第１突出部の径方向外端部と前記第２突出部の径方向外端部との間で周方向に延びてこれらの径方向外端部同士を連結している第４突出部をさらに有する請求項２〜４のいずれか１項に記載の分割保持器。
【請求項６】
前記第４突出部は、その周方向の少なくとも一部に、前記ころの凹部に非接触で対向する前記非接触部としての第４非接触部を有する請求項５に記載の分割保持器。
【請求項７】
前記突出体が、前記一対のリム部それぞれの前記ポケット側の側面に設けられている請求項１〜６のいずれか１項に記載の分割保持器。
【請求項８】
内輪と、外輪と、前記内外輪の間の環状空間に転動可能に配置された複数のころと、請求項１〜７のいずれか１項に記載の分割保持器と、を備えていることを特徴とするころ軸受。
【発明の詳細な説明】
【技術分野】
【０００１】
本発明は、分割保持器およびころ軸受に関する。
【背景技術】
【０００２】
従来、ころ軸受の内外輪間を転動する複数のころを周方向に沿って所定間隔毎に保持する保持器として、周方向に複数の保持器セグメントに分割された分割保持器が知られている。このような分割保持器として、図１０に示すように、保持器セグメント１００が、軸方向に所定間隔を隔てて互いに対向して配置された一対のリム部１０１と、前記一対のリム部１０１の間に架設された一対の柱部１０２とを備えたものがある。この保持器セグメント１００では、一対のリム部１０１と一対の柱部１０２とにより、単一のころ２０１を収容するためのポケット１０３が区画形成されている（例えば特許文献１参照）。
【先行技術文献】
【特許文献】
【０００３】
【特許文献１】特開２０１１−１３３０６１号公報
【発明の概要】
【発明が解決しようとする課題】
【０００４】
上記保持器セグメント１００にあっては、リム部１０１のポケット側の側面１０１ａと、当該側面１０１ａに対向するころ２０１の端面２０１ａとが接触する場合がある。このような場合、保持器セグメント１００ところ２０１との接触面積が大きくなるため、起動時に回転トルクが増大するという問題があった。
本発明は、このような事情に鑑みてなされたものであり、保持器セグメントところの端面との接触に起因する回転トルクを低減することができる分割保持器およびころ軸受を提供することを目的とする。
【課題を解決するための手段】
【０００５】
（１）本発明の分割保持器は、軸方向に所定間隔を隔てて互いに対向する一対のリム部と、前記一対のリム部の間に架設され当該一対のリム部とともにころを収容するためのポケットを区画形成する複数の柱部と、を有する保持器セグメントを複数備え、前記複数の保持器セグメントは、内輪と外輪との間の環状空間において周方向に沿って環状に配列されるころ軸受用の分割保持器であって、前記保持器セグメントは、前記一対のリム部のうち少なくとも一方のリム部における前記ポケット側の側面に、軸方向内方に突出して設けられた突出体を備え、前記突出体は、前記ころの端面と接触する接触部と、当該端面と接触しない非接触部と、を有することを特徴とする。
【０００６】
上記のように構成された分割保持器によれば、保持器セグメントのリム部の側面に設けられた突出体は、ころの端面と接触する接触部と、ころの端面と接触しない非接触部とを有している。このため、突出体の全体がころの端面に接触する場合に比べて、保持器セグメントところの端面とが接触する接触面積を低減することができる。その結果、保持器セグメントところの端面との接触に起因する回転トルクを低減することができる。
【０００７】
また、突出体はころの端面と接触しない非接触部を有するため、その非接触部ところの端面との間に潤滑剤が入り込み易くなる。このように入り込んだ潤滑剤はころの自転により連れ回るため、突出体の接触部ところの端面との間に潤滑剤を円滑に供給することができる。その結果、突出体の接触部ところの端面との摩擦抵抗を低減することができるので、上記回転トルクをさらに低減することができる。
【０００８】
上記分割保持器において、前記ころの端面には、その径方向中間部に凹部が形成されており、前記突出体は、前記ポケット側の側面の周方向一方側において径方向に延びる第１突出部と、前記ポケット側の側面の周方向他方側において径方向に延びる第２突出部と、を有し、前記第１突出部は、前記ころの凹部に非接触で対向する前記非接触部としての第１非接触部と、前記第１非接触部の少なくとも径方向一方側に配置された前記接触部としての第１接触部と、を有し、前記第２突出部は、前記ころの凹部に非接触で対向する前記非接触部としての第２非接触部と、前記第２非接触部の少なくとも径方向一方側に配置された前記接触部としての第２接触部と、を有するのが好ましい。
【０００９】
この場合、突出体は、リム部の側面の周方向両側に第１突出部と第２突出部とを有し、その第１および第２突出部の接触部がころの端面にそれぞれ接触する。これにより、突出体がころの端面に接触するときに、リム部の側面がころの端面に対して傾くように保持器セグメントがずれるのを抑制することができる。
また、第１および第２突出部には、ころの端面に形成された凹部を利用して、ころの端面に接触する接触部と、ころの端面に接触しない非接触部とが形成されるので、簡単な構成によって保持器セグメントところの端面とが接触する接触面積を低減することができる。
【００１０】
上記分割保持器において、前記突出体は、前記第１突出部の径方向内端部と前記第２突出部の径方向内端部との間で周方向に延びてこれらの径方向内端部同士を連結している第３突出部をさらに有するのが好ましい。
この場合、第１突出部および第２突出部は、これらの径方向内端部同士を連結する第３突出部により補強されるため、突出体が変形するのを抑制することができる。また、リム部の側面ところの端面との間には、第１〜第３突出部により３方を囲む空間が形成されるため、この空間に潤滑剤を一時的に溜めることができる。
【００１１】
上記分割保持器において、前記第３突出部は、その周方向の少なくとも一部に、前記ころの凹部に非接触で対向する前記非接触部としての第３非接触部を有するのが好ましい。
この場合、第３突出部よりも径方向内方の存在する潤滑剤を、ころの凹部と第３非接触部との間の隙間を通過して第１および第２突出部へ導くことができる。これにより、第１および第２突出部の各接触部ところの端面との間に潤滑剤を円滑に供給することができる。その結果、第１および第２突出部の各接触部ところの端面との摩擦抵抗をさらに低減することができる。
【００１２】
上記分割保持器において、前記突出体は、前記第１突出部の径方向外端部と前記第２突出部の径方向外端部との間で周方向に延びてこれらの径方向外端部同士を連結している第４突出部をさらに有するのが好ましい。
この場合、第１突出部および第２突出部は、これらの径方向外端部同士を連結する第４突出部により補強されるため、突出体が変形するのをさらに抑制することができる。
【００１３】
上記分割保持器において、前記第４突出部は、その周方向の少なくとも一部に、前記ころの凹部に非接触で対向する前記非接触部としての第４非接触部を有するのが好ましい。
この場合、第４突出部よりも径方向外方の存在する潤滑剤を、ころの凹部と第４非接触部との間の隙間を通過して第１および第２突出部へ導くことができる。これにより、第１および第２突出部の各接触部ところの端面との間に潤滑剤を円滑に供給することができる。その結果、第１および第２突出部の各接触部ところの端面との摩擦抵抗をさらに低減することができる。
【００１４】
上記分割保持器において、前記突出体が、前記一対のリム部それぞれの前記ポケット側の側面に設けられているのが好ましい。
この場合、保持器セグメントがころに対して軸方向両側のいずれの側にずれても、保持器セグメントところの端面との接触に起因する回転トルクを低減することができる。
【００１５】
本発明のころ軸受は、内輪と、外輪と、前記内外輪の間の環状空間に転動可能に配置された複数のころと、上記分割保持器と、を備えていることを特徴する。
上記のように構成されたころ軸受によれば、上述した分割保持器と同様の作用効果を奏する。
【発明の効果】
【００１６】
本発明の分割保持器によれば、保持器セグメントところの端面との接触に起因する回転トルクを低減することができる。
【図面の簡単な説明】
【００１７】
【図１】本発明の第１実施形態に係る分割保持器を備えた円すいころ軸受を示す断面図である。
【図２】上記円すいころ軸受を示す側面図である。
【図３】上記分割保持器を構成する保持器セグメントを示す斜視図である。
【図４】第１の突出体を示す上記保持器セグメントの断面図である。
【図５】上記第１の突出体の第３突出部の変形例を示す平面図である。
【図６】第２の突出体を示す上記保持器セグメントの断面図である。
【図７】上記第２の突出体を示す斜視図である。
【図８】本発明の第２実施形態に係る分割保持器の第１の突出体を示す保持器セグメントの断面図である。
【図９】上記第２実施形態に係る分割保持器の第２の突出体を示す保持器セグメントの断面図である。
【図１０】従来の分割保持器の保持器セグメントを示す斜視図である。
【発明を実施するための形態】
【００１８】
以下、本発明の実施形態について添付図面を参照しながら詳述する。
図１は、本発明の第１実施形態に係る分割保持器を備えた円すいころ軸受を示す断面図である。本実施形態の円すいころ軸受１は、内輪２と、外輪３と、内輪２と外輪３との間の環状空間に転動可能に配置された複数の円すいころ４と、各円すいころ４を保持する分割保持器５とを備えている。
【００１９】
外輪３の内周には、円すいころ４が転動するように、円すい面からなる外輪軌道３ａが形成されている。内輪２の外周には、外輪軌道３ａと対向する位置に円すいころ４が転動するように、円すい面からなる内輪軌道２ａが形成されている。外輪軌道３ａおよび内輪軌道２ａには、全周に亘ってグリース（潤滑剤）が塗布されている。
【００２０】
内輪２の外周には、内輪軌道２ａを挟んで径方向外方に突出し、円すいころ４の軸方向一方側の第１端面４ａが接触する大鍔部２ｂと、円すいころ４の軸方向他方側の第２端面４ｂが接触可能な小鍔部２ｃとが形成されている。
円すいころ４の第１端面４ａには、その径方向中間部に凹部４ｃが形成されている。凹部４ｃは、円すいころ４の軸心を中心として円形に形成されている（図４も参照）。
【００２１】
図２は、円すいころ軸受１を示す側面図である。また、図３は、分割保持器５を構成する保持器セグメント６を示す斜視図である。分割保持器５は、複数の保持器セグメント６を、内輪２と外輪３との間の環状空間において周方向に沿って環状に配列することによって構成されている。各保持器セグメント６は、円すいころ４によって回転案内される。
【００２２】
保持器セグメント６は、射出成形によって矩形枠状に一体成形された合成樹脂製のものである。保持器セグメント６は、軸方向に所定間隔を隔てて互いに対向する第１リム部２１および第２リム部２２と、各リム部２１，２２の相互間に架設された第１柱部２３および第２柱部２４とを備えている。保持器セグメント６には、各リム部２１，２２と各柱部２３，２４とによって、単一の円すいころ４を収容するための単一のポケット２５が区画形成されている。各柱部２３，２４のポケット２５側の側面は、円すいころ４の外周面４ｄと摺接可能なポケット面２３ａ，２４ａ（図４も参照）とされている。
【００２３】
保持器セグメント６は、第１リム部２１のポケット２５側の側面２１ａに、軸方向内方に突出して設けられた第１の突出体７と、第２リム部２２のポケット２５側の側面２２ａに、軸方向内方に突出して設けられた第２の突出体８とを備えている。
【００２４】
図４は、第１の突出体７を示す保持器セグメント６の断面図である。本実施形態の第１の突出体７は、第１突出部７１と、第２突出部７２と、第３突出部７３とを有している。
第１突出部７１は、第１リム部２１の側面２１ａの周方向一方側（図中の左側）において径方向（図中の上下方向）に延びて形成されている。第２突出部７２は、第１リム部２１の側面２１ａの周方向他方側（図中の右側）において径方向に延びて形成されている。第３突出部７３は、第１突出部７１の径方向内端部と第２突出部７２の径方向内端部との間で周方向に延びて形成されており、これらの径方向内端部同士を連結している。
【００２５】
第１突出部７１は、その軸方向内端に第１突出端面７１１を有している（図３も参照）。本実施形態の第１突出端面７１１は、その径方向全体に亘って平坦面とされている。この第１突出端面７１１は、円すいころ４の凹部４ｃに非接触で対向するとともに円すいころ４の第１端面４ａと接触しない第１非接触部７１ａ（図中の左側のクロスハッチング部分）を有している。また、第１突出端面７１１は、第１非接触部７１ａの径方向両側方にそれぞれ配置されて円すいころ４の第１端面４ａと接触する２つの第１接触部７１ｂ（図中の左側の水平ハッチング部分）を有している。
【００２６】
第２突出部７２は、その軸方向内端に第２突出端面７２１を有している（図３も参照）。本実施形態の第２突出端面７２１は、その径方向全体に亘って平坦面とされており、かつ第１突出端面７１１と同一平面上に形成されている。この第２突出端面７２１は、円すいころ４の凹部４ｃに非接触で対向するとともに円すいころ４の第１端面４ａと接触しない第２非接触部７２ａ（図中の右側のクロスハッチング部分）を有している。また、第２突出端面７２１は、第２非接触部７２ａの径方向両側方にそれぞれ配置されて円すいころ４の第１端面４ａと接触する２つの第２接触部７２ｂ（図中の右側の水平ハッチング部分）を有している。
【００２７】
第３突出部７３は、その軸方向内端に第３突出端面７３１を有している（図３も参照）。本実施形態の第３突出端面７３１は、その周方向全体に亘って平坦面とされており、かつ第１および第２突出端面７１１，７２１と同一平面上に形成されている。これにより、第１リム部２１の側面２１ａと円すいころ４の第１端面４ａとの間には、第１〜第３突出部７１〜７３により３方を囲む第１空間Ｓ１が形成されている。この第１空間Ｓ１は、第１〜第３突出部７１〜７３と円すいころ４の第１端面４ａとの接触部に供給されるグリースが一時的に溜まる油溜まりとして機能する。
【００２８】
第３突出端面７３１は、円すいころ４の凹部４ｃに非接触で対向するとともに円すいころ４の第１端面４ａと接触しない第３非接触部７３ａ（図中の下側のクロスハッチング部分）を有している。また、第３突出端面７３１は、第３非接触部７３ａの周方向両側方にそれぞれ配置されて円すいころ４の第１端面４ａと接触する２つの第３接触部７３ｂ（図中の黒塗り部分）を有している。
【００２９】
以上の構成により、例えば、図１に示すように、円すいころ軸受１の軸線Ｘを水平に配置した場合、その軸受１の鉛直方向上側に位置する保持器セグメント６は、その自重によって図中の左斜め下にずれる。これにより、第１リム部２１の側面２１ａに設けられた第１の突出体７における第１〜第３突出部７１〜７３の各接触部７１ｂ〜７３ｂが円すいころ４の第１端面４ａに接触する。
【００３０】
図５（ａ）〜図５（ｃ）は、本実施形態の第３突出部７３の変形例を示す平面図である。
図５（ａ）の第３突出部７３は、第３突出端面７３１における第３非接触部７３ａの周方向（図中の左右方向）の中央部に、軸方向（図中の上下方向）に窪む凹溝７３ｃを有している。これにより、第３突出部７３の径方向内方（図中の紙面奥側）に存在するグリース（潤滑剤）は、凹溝７３ｃ内を通過することで第３突出部７３よりも径方向外方（図中の紙面手前側）の第１空間Ｓ１へ入り込み易くすることができる。
【００３１】
図５（ｂ）の第３突出部７３は、第３突出端面７３１における第３非接触部７３ａの周方向全体に亘って、軸方向に窪む凹溝７３ｄを有している。これにより、第３突出部７３の径方向内方に存在するグリースを、凹溝７３ｄ内を通過することで第３突出部７３よりも径方向外方の第１空間Ｓ１へさらに入り込み易くすることができる。
【００３２】
図５（ｃ）の第３突出部７３では、第３突出端面７３１は周方向全体に亘って平坦面とされているが、第３突出端面７３１の全体が第１および第２突出端面７１１，７２１よりも軸方向外側（図中の下側）に形成されている。したがって、この変形例では、第３突出端面７３１の全体が、円すいころ４の第１端面４ａと接触しない第３非接触部７３ａとされている。
これにより、第３突出部７３の径方向内方に存在するグリースを、第３突出端面７３１と円すいころ４の第１端面４ａとの間の隙間を通過することで第３突出部７３よりも径方向外方の第１空間Ｓ１へさらに入り込み易くすることができる。
【００３３】
図６は、第２の突出体８を示す保持器セグメント６の断面図である。また、図７は、第２の突出体８を示す斜視図である。図６および図７において、本実施形態の第２の突出体８は、第１突出部８１と、第２突出部８２と、第３突出部８３とを有している。
第１突出部８１は、第２リム部２２の側面２２ａの周方向一方側（図６の左側）において径方向（図６の上下方向）に延びて形成されている。第２突出部８２は、第２リム部２２の側面２２ａの周方向他方側（図６の右側）において径方向に延びて形成されている。第３突出部８３は、第１突出部８１の径方向内端部と第２突出部８２の径方向内端部との間で周方向に延びて形成されており、これらの径方向内端部同士を連結している。
【００３４】
第１突出部８１は、その軸方向内端に第１突出端面８１１を有している。第１突出端面８１１の径方向中間部には、当該第１突出端面８１１よりも軸方向外方（図６の紙面奥側）に窪んで円すいころ４の第２端面４ｂと接触しない第１非接触部８１ａが形成されている。第１突出端面８１１は、第１非接触部８１ａの径方向両側方にそれぞれ配置されて円すいころ４の第２端面４ｂと接触する２つの第１接触部８１ｂを有している。
【００３５】
第２突出部８２は、その軸方向内端に第２突出端面８２１を有している。本実施形態の第２突出端面８２１は、第１突出端面８１１と同一平面上に形成されている。第２突出端面８２１の径方向中間部には、当該第２突出端面８２１よりも軸方向外方に窪んで円すいころ４の第２端面４ｂと接触しない第２非接触部８２ａが形成されている。第２突出端面８２１は、第２非接触部８２ａの径方向両側方にそれぞれ配置されて円すいころ４の第２端面４ｂと接触する２つの第２接触部８２ｂを有している。
【００３６】
第３突出部８３は、その軸方向内端に第３突出端面８３１を有している。本実施形態の第３突出端面８３１は、第１および第２突出端面８１１，８２１と同一平面上に形成されている。これにより、第２リム部２２の側面２２ａと円すいころ４の第２端面４ｂとの間には、第１〜第３突出部８１〜８３により３方を囲む第２空間Ｓ２が形成されている。この第２空間Ｓ２は、第１〜第３突出部８１〜８３と円すいころ４の第２端面４ｂとの接触部に供給されるグリースが一時的に溜まる油溜まりとして機能する。
【００３７】
第３突出端面８３１の周方向（図６の左右方向）中間部には、当該第３突出端面８３１よりも軸方向外方に窪んで円すいころ４の第２端面４ｂと接触しない第３非接触部８３ａが形成されている。第３突出端面８３１は、第３非接触部８３ａの周方向両側方にそれぞれ配置されて円すいころ４の第２端面４ｂと接触する２つの第３接触部８３ｂを有している。
【００３８】
以上の構成により、例えば、図１に示すように、円すいころ軸受１の軸線Ｘを水平に配置した場合、その軸受１の鉛直方向下側に位置する保持器セグメント６は、その自重によって図中の右斜め下にずれる。これにより、第２リム部２２の側面２２ａに設けられた第２の突出体８における第１〜第３突出部８１〜８３の各接触部８１ｂ〜８３ｂが円すいころ４の第２端面４ｂに接触する。
【００３９】
以上、本実施形態の分割保持器５および円すいころ軸受１によれば、保持器セグメント６のリム部２１（２２）の側面２１ａ（２２ａ）に設けられた突出体７（８）は、円すいころ４の端面４ａ（４ｂ）と接触する接触部７１ｂ〜７３ｂ（８１ｂ〜８３ｂ）と、当該端面４ａ（４ｂ）と接触しない非接触部７１ａ〜７３ａ（８１ａ〜８３ａ）とを有している。このため、突出体７（８）の全体が円すいころ４の端面４ａ（４ｂ）に接触する場合に比べて、保持器セグメント６と円すいころ４の端面４ａ（４ｂ）とが接触する接触面積を低減することができる。その結果、保持器セグメント６と円すいころ４の端面４ａ（４ｂ）との接触に起因する回転トルクを低減することができる。
【００４０】
また、保持器セグメント６の一対のリム部２１，２２それぞれに突出体７，８が設けられているので、保持器セグメント６が円すいころ４に対して軸方向両側のいずれの側にずれても、保持器セグメント６と円すいころ４の端面４ａ（４ｂ）との接触に起因する回転トルクを低減することができる。
【００４１】
また、突出体７（８）は非接触部７１ａ〜７３ａ（８１ａ〜８３ａ）を有するため、その非接触部７１ａ〜７３ａ（８１ａ〜８３ａ）と円すいころ４の端面４ａ（４ｂ）との間にグリースが入り込み易くなる。このように入り込んだグリースは円すいころ４の自転により連れ回るため、突出体７（８）の接触部７１ｂ〜７３ｂ（８１ｂ〜８３ｂ）と円すいころ４の端面４ａ（４ｂ）との間にグリースを円滑に供給することができる。その結果、突出体７（８）の接触部７１ｂ〜７３ｂ（８１ｂ〜８３ｂ）と円すいころ４の端面４ａ（４ｂ）との摩擦抵抗を低減することができるため、上記回転トルクをさらに低減することができる。
【００４２】
また、突出体７（８）は、リム部２１（２２）の側面２１ａ（２２ａ）の周方向両側に第１突出部７１（８１）と第２突出部７２（８２）とを有し、その第１および第２突出部７１，７２（８１，８２）の接触部７１ｂ，７２ｂ（８１ｂ，８２ｂ）は円すいころ４の端面４ａ（４ｂ）にそれぞれ接触する。これにより、突出体７（８）が円すいころ４の端面４ａ（４ｂ）に接触するときに、リム部２１（２２）の側面２１ａ（２２ａ）が円すいころ４の端面４ａ（４ｂ）に対して傾くように保持器セグメント６がずれるのを抑制することができる。
【００４３】
また、第１および第２突出部７１，７２には、円すいころ４の端面４ａに形成された凹部４ｃを利用して、接触部７１ｂ，７２ｂと非接触部７１ａ，７２ａとが形成されるので、簡単な構成によって保持器セグメント６と円すいころ４の端面４ａとが接触する接触面積を低減することができる。
【００４４】
また、第１突出部７１（８１）および第２突出部７２（８２）は、これらの径方向内端部同士を連結する第３突出部７３（８３）により補強されるので、突出体７（８）が変形するのを抑制することができる。
また、リム部２１（２２）の側面２１ａ（２２ａ）と円すいころ４の端面４ａ（４ｂ）との間には、第１〜第３突出部７１〜７３（８１〜８３）により３方を囲む空間Ｓ１（Ｓ２）が形成されるため、この空間Ｓ１（Ｓ２）にグリースを一時的に溜めることができる。
【００４５】
また、第３突出部７３（８３）は、円すいころ４の凹部４ｃに非接触で対向する第３非接触部７３ａ（８３ａ）を有するため、第３突出部７３（８３）よりも径方向内方の存在するグリースを、円すいころ４の凹部４ｃと第３非接触部７３ａ（８３ａ）との間の隙間を通過して空間Ｓ１（Ｓ２）に導くことができる。これにより、第１〜第３突出部７１〜７３の各接触部７１ｂ〜７３ｂと円すいころ４の端面４ａ（４ｂ）との間にグリースを円滑に供給することができる。その結果、第１〜第３突出部７１〜７３の各接触部７１ｂ〜７３ｂと円すいころ４の端面４ａ（４ｂ）との摩擦抵抗をさらに低減することができる。
【００４６】
図８および図９は、本発明の第２実施形態に係る分割保持器５の保持器セグメント６の断面図である。
図８において、本実施形態の保持器セグメント６の第１の突出体７は、第１〜第３突出部７１〜７３に加えて第４突出部７４をさらに有している。第４突出部７４は、第１突出部７１の径方向外端部と第２突出部７２の径方向外端部との間で周方向（図中の左右方向）に延びて形成されており、これらの径方向外端部同士を連結している。
【００４７】
第４突出部７４は、その軸方向内端に第４突出端面７４１を有している。本実施形態の第４突出端面７４１は、その周方向全体に亘って平坦面とされており、かつ第１〜第３突出端面７１１〜７３１と同一平面上に形成されている。これにより、第１リム部２１の側面２１ａと円すいころ４の第１端面４ａとの間には、第１〜第４突出部７１〜７４により４方を囲む第１空間Ｓ１が形成されている。この第１空間Ｓ１は、第１〜第４突出部７１〜７４と円すいころ４の第１端面４ａとの接触部に供給されるグリースが一時的に溜まる油溜まりとして機能する。
【００４８】
第４突出端面７４１は、円すいころ４の凹部４ｃに非接触で対向するとともに円すいころ４の第１端面４ａと接触しない第４非接触部７４ａ（図中の上側のクロスハッチング部分）を有している。また、第４突出端面７４１は、第４非接触部７４ａの周方向両側方にそれぞれ配置されて円すいころ４の第１端面４ａと接触する２つの第４接触部７４ｂ（図中の黒塗り部分）を有している。
【００４９】
以上の構成により、例えば、図１に示すように、円すいころ軸受１の軸線Ｘを水平に配置した場合、その軸受１の鉛直方向上側に位置する保持器セグメント６は、その自重によって図中の左斜め下にずれる。これにより、第１リム部２１の側面２１ａに設けられた第１の突出体７における第１〜第４突出部７１〜７４の各接触部７１ｂ〜７４ｂが円すいころ４の第１端面４ａに接触する。
【００５０】
図９において、本実施形態の保持器セグメント６の第２の突出体８は、第１〜第３突出部８１〜８３に加えて第４突出部８４をさらに有している。第４突出部８４は、第１突出部８１の径方向外端部と第２突出部８２の径方向外端部との間で周方向（図中の左右方向）に延びて形成されており、これらの径方向外端部同士を連結している。
【００５１】
第４突出部８４は、その軸方向内端に第４突出端面８４１を有している。本実施形態の第４突出端面８４１は、第１〜第３突出端面８１１〜８３１と同一平面上に形成されている。これにより、第２リム部２２の側面２２ａと円すいころ４の第２端面４ｂとの間には、第１〜第４突出部８１〜８４により４方を囲む第２空間Ｓ２が形成されている。この第２空間Ｓ２は、第１〜第４突出部８１〜８４と円すいころ４の第２端面４ｂとの接触部に供給されるグリースが一時的に溜まる油溜まりとして機能する。
【００５２】
第４突出端面８４１の周方向中間部には、当該第４突出端面８４１よりも軸方向外方（図中の紙面奥側）に窪んで円すいころ４の第２端面４ｂと接触しない第４非接触部８４ａが形成されている。第４突出端面８４１は、第４非接触部８４ａの周方向両側方にそれぞれ配置されて円すいころ４の第２端面４ｂと接触する２つの第４接触部８４ｂを有している。
【００５３】
以上の構成により、例えば、図１に示すように、円すいころ軸受１の軸線Ｘを水平に配置した場合、その軸受１の鉛直方向下側に位置する保持器セグメント６は、その自重によって図中の右斜め下にずれる。これにより、第２リム部２２の側面２２ａに設けられた第２の突出体８における第１〜第４突出部８１〜８４の各接触部８１ｂ〜８４ｂが円すいころ４の第２端面４ｂに接触する。
なお、第２実施形態において説明を省略した点は、第１実施形態と同様である。
【００５４】
以上、本実施形態の分割保持器５によれば、第１突出部７１（８１）および第２突出部７２（８２）は、これらの径方向外端部同士を連結する第４突出部７４（８４）により補強されるので、突出体７（８）が変形するのをさらに抑制することができる。
【００５５】
また、第４突出部７４（８４）は、円すいころ４の凹部４ｃに非接触で対向する第４非接触部７４ａ（８４ａ）を有するため、第４突出部７４（８４）よりも径方向外方の存在するグリースを、円すいころ４の凹部４ｃと第４非接触部７４ａ（８４ａ）との間の隙間を通過して空間Ｓ１（Ｓ２）に導くことができる。これにより、第１〜第４突出部７１〜７４の各接触部７１ｂ〜７４ｂと円すいころ４の端面４ａ（４ｂ）との間にグリースを円滑に供給することができる。その結果、第１〜第４突出部７１〜７４の各接触部７１ｂ〜７４ｂと円すいころ４の端面４ａ（４ｂ）との摩擦抵抗をさらに低減することができる。
【００５６】
本発明は、上記の実施形態に限定されることなく適宜変更して実施可能である。例えば、上記各実施形態の第１の突出体７は、上記第１または第２実施形態の第２の突出体８と同様の構成であっても良い。
また、上記各実施形態では、ころ４の第１端面４ａのみに凹部４ｃが形成されているが、これに加えてまたはこれに替えて、ころ４の第２端面４ｂに凹部４ｃが形成されていても良い。この場合、第２端面４ｂに接触する第２の突出体８は、上記第１または第２実施形態の第１の突出体７と同様の構成としても良い。
【００５７】
また、上記各実施形態では、保持器セグメント６の一対のリム部２１，２２それぞれに突出体７，８を設けているが、いずれか一方のリム部のみに突出体を設けても良い。
また、上記各実施形態では、第１〜第３突出部７１〜７３（８１〜８３）の接触部７１ｂ〜７３ｂ（８１ｂ〜８３ｂ）は、非接触部７１ａ〜７３ａ（８１ａ〜８３ａ）の径方向両側または周方向両側に形成されているが、径方向一方側のみまたは周方向一方のみに形成されていても良い。
【００５８】
また、上記各実施形態では、凹溝７３ｃは、曲面（円筒面）で構成されていたが、複数の平面（錐体の複数の平面、柱体の複数の面、立方体や直方体の複数の面）や、曲面（円筒面および円錐面、任意の曲面等ならびにこれらの組み合わせ、これらと平面の組み合わせ）で構成されていてもよい。
また、上記各実施形態では、非接触部８１ａ〜８３ａは、直方体の複数の面で構成されているが、複数の平面（錐体の複数の平面、柱体の複数の面、立方体や直方体の複数の面）や、曲面（円筒面および円錐面、任意の曲面等ならびにこれらの組み合わせ、これらと平面の組み合わせ）で構成されていてもよい。
【００５９】
また、上記各実施形態では、第１および第２突出部７１，７２（８１，８２）は、リム部２１（２２）の側面２１ａ（２２ａ）の径方向全長に亘って形成されているが、径方向の一部に形成されていても良い。また、上記各実施形態では、第１〜第３突出部７１〜７３（８１〜８３）は、径方向または周方向に直線状に延びて形成されているが、湾曲形成されていても良い。
【００６０】
また、上記各実施形態における保持器セグメント６には、単一の円すいころ４を収容する単一のポケット２５が区画形成されているが、複数の円すいころ４を個別に収容する複数のポケット２５が区画形成されていても良い。また、上記各実施形態における保持器セグメント６は、合成樹脂製のもの以外に金属製のものにも適用することができる。また、本発明は、円すいころ軸受以外に、円筒ころ軸受にも適用することができる。
【符号の説明】
【００６１】
１：円すいころ軸受、２：内輪、３：外輪、４：円すいころ、４ａ：第１端面、４ｂ：第２端面、４ｃ：凹部、５：分割保持器、６：保持器セグメント、７：第１の突出体、８：第２の突出体、２１：第１リム部、２１ａ：側面、２２：第２リム部、２２ａ：側面、２３：第１柱部、２４：第２柱部、２５：ポケット、７１，８１：第１突出部、７１ａ，８１ａ：第１非接触部（非接触部）、７１ｂ，８１ｂ：第１接触部（接触部）、７２，８２：第２突出部、７２ａ，８２ａ：第２非接触部（非接触部）、７２ｂ，８２ｂ：第２接触部（接触部）、７３，８３：第３突出部、７３ａ，８３ａ：第３非接触部（非接触部）、７４，８４：第４突出部、７４ａ，８４ａ：第４非接触部（非接触部）
【図１】
2016142382.tif 000003
【図２】
2016142382.tif 000004
【図３】
2016142382.tif 000005
【図４】
2016142382.tif 000006
【図５】
2016142382.tif 000007
【図６】
2016142382.tif 000008
【図７】
2016142382.tif 000009
【図８】
2016142382.tif 000010
【図９】
2016142382.tif 000011
【図１０】
2016142382.tif 000012